(57)【要約】【課題】別々の世帯が同じ住居で室内戸一枚隔てた隣り合う部屋でコミュニケーションをするような感覚が得られる映像音声通信システムを提供する【解決手段】親世帯側の映像音声通信装置１００と子世帯側の映像音声通信装置１００との間で映像音声を双方向で送受信する。上記映像音声通信装置１００は、マイクロフォン１と、スピーカー１６と、カメラ２と、ディスプレイ１５と、上記ディスプレイ１５の前面側に配置される室内戸３０Ａの開閉を検知する室内戸状態検知部２１と、を備えており、上記室内戸３０Ａが閉じられて上記ディスプレイ１５が隠れた状態では映像および音声の送信を停止し、上記室内戸３０Ａが開かれて上記ディスプレイ１５が現れた状態では映像と音声の少なくとも一方を送信する。【選択図】図１
2014192693.tif 000002
【特許請求の範囲】
【請求項１】
第１の装置と第２の装置との間で映像音声を双方向で送受信する映像音声通信システムであって、上記第１の装置と上記第２の装置はそれぞれ、マイクロフォンと、スピーカーと、カメラと、ディスプレイと、上記ディスプレイの前面側に配置される室内戸の開閉を検知する室内戸状態検知部と、を備えており、上記室内戸が閉じられて上記ディスプレイが隠れた状態では映像および音声の送信を停止し、上記室内戸が開かれて上記ディスプレイが現れた状態では映像と音声の少なくとも一方を送信することを特徴とする映像音声通信システム。
【請求項２】
請求項１に記載の映像音声通信システムにおいて、上記第１の装置と第２の装置は、所定の動作を検知する動作検知部を備えており、一方の装置で上記所定の動作が検知されたときに、この所定の動作に基づく信号が他方の装置に送信されることを特徴とする映像音声通信システム。
【請求項３】
請求項２に記載の映像音声通信システムにおいて、上記動作検知部はノックを検知するセンサであることを特徴とする映像音声通信システム。
【請求項４】
請求項２または請求項３に記載の映像音声通信システムにおいて、上記動作検知部が上記室内戸に設けられていることを特徴とする映像音声通信システム。
【請求項５】
請求項１〜請求項４のいずれか１項に記載の映像音声通信システムにおいて、上記室内戸が閉じられると上記マイクロフォンとスピーカーとカメラの少なくとも一つが上記室内戸で隠されることを特徴とする映像音声通信システム。
【請求項６】
請求項１〜請求項５のいずれか１項に記載の映像音声通信システムにおいて、上記室内戸が半開の状態では、受信映像の上記ディスプレイによる表示を停止し、受信音声だけを上記スピーカーから出力することを特徴とする映像音声通信システム。
【請求項７】
請求項１〜請求項６のいずれか１項に記載の映像音声通信システムにおいて、上記第１の装置と第２の装置は、別々の住居に配備され、ネットワークを介して接続されることを特徴とする映像音声通信システム。
【請求項８】
請求項１〜請求項６のいずれか１項に記載の映像音声通信システムにおいて、上記第１の装置と第２の装置は、集合住宅の異なる世帯に配備され、ネットワークを介して接続されることを特徴とする映像音声通信システム。
【請求項９】
請求項１〜請求項６のいずれか１項に記載の映像音声通信システムにおいて、上記第１の装置と第２の装置は、２世帯住宅の各世帯に配備され、ネットワークを介して接続されることを特徴とする映像音声通信システム。
【発明の詳細な説明】
【技術分野】
【０００１】
この発明は、映像音声を双方向で送受信してコミュニケーションを図ることができる映像音声通信システムに関する。
【背景技術】
【０００２】
特許文献１には、介護型集合住宅内の被介護者の各居室にホームコントロールサーバーを備え、ホームコントロールサーバーに介護者用通信端末装置と介護管理サーバーとを通信回線を経由して接続するとともに、ホームコントロールサーバーに被介護者用通信端末装置と被介護者が各自携帯する緊急事態通報装置と遠隔監視装置とをそれぞれ接続し、ホームコントロールサーバーを介して映像、音声又はデータを送受信し、居室内の被介護者に緊急事態が発生したとき、ホームコントロールサーバーは、緊急電波信号を介護者用通信端末装置に送信し、緊急通報を受けた介護者は、緊急通報者に対して状況の聞き取りを行うシステムが開示されている。
【先行技術文献】
【特許文献】
【０００３】
【特許文献１】特開２００３−６７４９４号公報
【発明の概要】
【発明が解決しようとする課題】
【０００４】
しかしながら、上記システムでは、例えば親世帯と子世帯との間で両世帯があたかも同じ住居で室内戸一枚隔てた隣り合う部屋でコミュニケーションをするような感覚が得られるものではなかった。
【０００５】
この発明は、上記の事情に鑑み、別々の世帯が同じ住居で室内戸一枚隔てた隣り合う部屋でコミュニケーションをするような感覚が得られる映像音声通信システムを提供することを課題とする。
【課題を解決するための手段】
【０００６】
この発明の映像音声通信システムは、上記の課題を解決するために、第１の装置と第２の装置との間で映像音声を双方向で送受信する映像音声通信システムであって、上記第１の装置と上記第２の装置はそれぞれ、マイクロフォンと、スピーカーと、カメラと、ディスプレイと、上記ディスプレイの前面側に配置される室内戸の開閉を検知する室内戸状態検知部と、を備えており、上記室内戸が閉じられて上記ディスプレイが隠れた状態では映像および音声の送信を停止し、上記室内戸が開かれて上記ディスプレイが現れた状態では映像と音声の少なくとも一方を送信することを特徴とする。
【０００７】
上記の構成であれば、上記第１の装置の側で上記室内戸を開けて上記ディスプレイを現出させ、また、第２の装置側でも上記室内戸を開けて上記ディスプレイを現出させると、それぞれの部屋内の様子が相手側装置の上記ディスプレイに映し出すことができる。すなわち、部屋の室内戸を開けるような動作を行うと、この開けたところにある上記ディスプレイに相手側の部屋内の様子が映し出されるので、別々の世帯が同じ住居で室内戸一枚隔てた隣り合う部屋でコミュニケーションをするような感覚が得られることになる。
【０００８】
上記第１の装置と第２の装置は、所定の動作を検知する動作検知部を備えており、一方の装置で上記所定の動作が検知されたときに、この所定の動作に基づく信号が他方の装置に送信されるようにしてもよい。これによれば、上記第１の装置と第２の装置を用いてコミュニケーションを開始するにあたり、相手側にこの開始要求を所定の動作で伝えることができる。
【０００９】
上記動作検知部はノックを検知するセンサであってもよい。また、上記動作検知部が上記室内戸に設けられていてもよい。
【００１０】
上記室内戸が閉じられると上記マイクロフォンとスピーカーとカメラの少なくとも一つが上記室内戸で隠されるようにしてもよい。このように上記室内戸が閉じられた状態で機器物が隠されると、上記室内戸の向こう側に本当に部屋が在るような感覚が得やすくなる。
【００１１】
上記室内戸が半開の状態では、受信映像の上記ディスプレイによる表示を停止し、受信音声だけを上記スピーカーから出力するようにしてもよい。これによれば、まるで隣の部屋の生活音が聞こえてくるような感覚が得られるようになる。
【００１２】
上記第１の装置と第２の装置は、別々の住居に配備され、ネットワークを介して接続されてもよいし、集合住宅の異なる世帯に配備され、ネットワークを介して接続されてもよいし、或いは、２世帯住宅の各世帯に配備され、ネットワークを介して接続されてもよい。
【発明の効果】
【００１３】
本発明であれば、別々の世帯が同じ住居で室内戸一枚隔てた隣り合う部屋でコミュニケーションをするような感覚が得られるという効果を奏する。
【図面の簡単な説明】
【００１４】
【図１】本発明の実施形態の映像音声通信システムの概要を示した説明図である。
【図２】同図（Ａ）は図１の映像音声通信システムにおいて室内戸が閉じられた状態を示した説明図であり、同図（Ｂ）は上記室内戸が開けられた状態を示した説明図である。
【図３】図１の映像音声通信システムを構成する映像音声通信装置の概略構成を示したブロック図である。
【図４】図１の映像音声通信システムを用いたコミュニケーションの様子を示した説明図である。
【図５】図１の映像音声通信システムを用いた室内戸が半開きのときの様子を示した説明図である。
【発明を実施するための形態】
【００１５】
以下、この発明の実施の形態を添付図面に基づいて説明する。
図１に示すように、この実施形態の映像音声通信システムでは、例えば、親世帯側の映像音声通信装置１００と子世帯側の映像音声通信装置１００とがインターネット９を介して双方向通信可能に接続される。映像音声の双方向通信には、例えば、ＶｏＩＰ（Voice over Internet Protocol）通信システムであるスカイプ（Skype：商標）などを利用することができる。このような通信システムは、ネットワーク上のサーバーがダウンしても通信が可能なPeer to Peer技術を用いたシステムであり、スカイプクライアント（パーソナルコンピュータにインストールされた通信ソフトウェア）と、データベースサーバーと、スーパー・ノードといったネットワーク上の構成要素からなる。
【００１６】
上記映像音声通信装置１００は、例えば、パーソナルコンピュータを構成する要素を用いて構成することができ、映像音声通信装置１００に、規定のインターフェースによって、マイクロフォン（マイク）１、カメラ（Ｗｅｂカメラ等）２、ディスプレイ１５およびスピーカー１６が接続される。上記マイクロフォン１は上記ディスプレイ１５の左右位置に設けられている。また、上記ネットワークカメラ２は、上記ディスプレイ１５の上縁の中程に配置されており、上記スピーカー１６は、上記ディスプレイ１５の上縁の両側に配置されている。なお、キーボードやポインティングデバイスについては、例えば無線規格によって上記映像音声通信装置１００に接続することができる。
【００１７】
そして、上記映像音声通信装置１００は、例えば家庭内に導入されている無線ローカルエリアネットワーク（ＬＡＮ）によって上記インターネット９に接続されており、上記スカイプ等の通信ソフトウェアを提供するサーバーに上記インターネット９を介して接続し、ダウンロードおよびインストールできるようにしている。そして、インストール後の初期設定で通信相手を登録することができる。上記の場合、親世帯側の映像音声通信装置１００では子世帯側の映像音声通信装置１００を通信相手として登録し、子世帯側の映像音声通信装置１００では親世帯側の映像音声通信装置１００を通信相手として登録する。
【００１８】
図２（Ａ）および図２（Ｂ）に示すように、家屋内の壁面にインテリア引き戸等の室内戸３０Ａ、３０Ｂが設けられている。室内戸３０Ｂは固定であり、その右隣位置の壁面に上記ディスプレイ１５が設けられている。上記室内戸３０Ａは、上記室内戸３０Ｂの前面から上記ディスプレイ１５の前面にかけてスライドするように設けられている。上記室内戸３０Ａを閉じると、上記ディスプレイ１５が隠され、上記室内戸３０Ａを開けると、上記ディスプレイ１５が現れる。上記ディスプレイ１５は液晶ディスプレイ或いは有機ＥＬ（Electro Luminescence）ディスプレイなどの薄型のディスプレイである。また、上記ディスプレイ１５は上記室内戸３０Ａと同程度の大きさであるが、高さが幾分低くされており、上記ディスプレイ１５の上縁に設けられている上記スピーカー１６および上記カメラ２は、上記室内戸３０Ａが閉じられると当該室内戸３０Ａで隠されるようになっている。
【００１９】
上記映像音声通信装置１００には、加速度センサ（動作検知部）２１および室内戸位置センサ２２（室内戸状態検知部）が例えばＵＳＢ（Universal Serial Bus）規格によって接続されている。上記加速度センサ２１は、人がノックをしやすい高さ位置の壁面に配置されており、ノックを受けた部位の加速度値が所定の閾値を上回ったときにハイ信号を出力する。また、上記加速度センサ２１は、上記マイクロフォン１の近傍に位置しており、上記ノックの音が上記マイクロフォン１にも入りやすいようにしている。
【００２０】
上記室内戸位置センサ２２は、上記室内戸３０Ａが完全に閉められた状態と、所定量以上閉められた状態とを検知する。例えば、上記室内戸３０Ａが完全に閉められたときに当該室内戸３０Ａの上縁部に押されてオフするスイッチ２２ａと、上記室内戸３０Ａが所定量以上閉められた状態で上記室内戸の上縁部に押されてオフするスイッチ２２ｂとを有する。上記スイッチ２２ａと上記スイッチ２２ｂがともにオフの状態は上記室内戸３０Ａが完全に閉められた状態であり、上記スイッチ２２ａがオンで上記スイッチ２２ｂがオフの状態は上記室内戸３０Ａが半開きの状態であり、上記スイッチ２２ａと上記スイッチ２２ｂがともにオンの状態は上記室内戸３０Ａが半開き以上から完全に開かれた状態である。
【００２１】
図３は上記映像音声通信装置１００の概略構成を示したブロック図である。音声信号処理部３は、上記マイクロフォン（マイク）１からの音声信号を量子化して出力する。音声エンコーダ５は、上記音声信号処理部３から入力した音声信号を圧縮符号化する。
【００２２】
映像信号処理部４は、上記カメラ２からの映像信号を量子化して出力する。映像エンコーダ６は、映像信号処理部４から入力された映像信号を圧縮符号化する。
【００２３】
パケット合成処理部７は、音声エンコーダ５から入力した圧縮符号化音声信号及び、映像エンコーダ６から入力した圧縮符号化映像信号を多重化して音声映像パケットデータを出力する。
【００２４】
ネットワーク処理部８は、パケット合成処理部７からの音声映像パケットデータをインターネット９に出力すると共に、インターネット９から受け取った音声映像パケットデータをパケット分離処理部１０に出力する。
【００２５】
パケット分離処理部１０は、ネットワーク処理部８から入力した音声映像パケットデータを分離し、圧縮符号化映像信号を映像デコーダ１１に出力し、圧縮符号化音声信号を音声デコーダ１２に出力する。
【００２６】
映像デコーダ１１は、上記パケット分離処理部１０からの圧縮符号化映像信号を復号化し、ディスプレイドライバ１３に出力する。
【００２７】
音声デコーダ１２は、上記パケット分離処理部１０からの圧縮符号化された音声信号を復号化し、スピーカードライバ１４に出力する。
【００２８】
ディスプレイドライバ１３は、映像デコーダ１１からの復号化映像信号に基づいてディスプレイ１１５を駆動し、スピーカードライバ１４は、音声デコーダ１２からの復号化音声信号によってスピーカー１６を駆動する。
【００２９】
上記映像音声通信装置１００のコントローラ２０は、上記加速度センサ２１および室内戸位置センサ２２からの信号に基づいて、上記マイクロフォン１による音声送信のオンオフ制御、上記カメラ２による映像送信のオンオフ制御、上記スピーカー１６の音声出力のオンオフ制御、上記ディスプレイ１５の映像出力のオンオフ制御を行う。上記オンオフ制御は、信号経路の接続・遮断処理に限らず、例えば、音声エンコーダ５や音声デコーダ１２の動作と停止の制御、上記ディスプレイドライバ１３およびスピーカードライバ１４の動作と停止の制御、各回路電源のオンオフ制御を行うようにしてもよい。
【００３０】
上記映像音声通信システムでは、例えば常時接続が行われており、実際に音声および映像が送信されるか否か、或いは受信した音声および映像の出力が行われるか否かは、上記コントローラ２０による上記オンオフ制御により制御される。上記コントローラ２０は、一例として、上記室内戸３０Ａが閉められている状態（上記スイッチ２２ａおよび上記スイッチ２２ｂがともにオフ）では、上記マイクロフォン１、カメラ２およびディスプレイ１５についてオフ制御を実行する。上記スピーカー１６は常時オンであるとする。また、上記室内戸３０Ａが開かれた状態（上記スイッチ２２ａおよび上記スイッチ２２ｂがともにオン）では、上記マイクロフォン１、上記カメラ２および上記ディスプレイ１５についてオン制御を実行する。
【００３１】
そして、上記コントローラ２０は、上記室内戸３０Ａが閉められている状態で上記加速度センサ２１からハイ信号を受け取ると、上記マイクロフォン１についてオン制御を実行する。例えば、親世帯側で、上記加速度センサ２１に対して４回ノックをしたとすると、１回目のノックで上記マイクロフォン１についてオン制御が実行され、残り３回のノックの音が上記オンされたマイクロフォン１から入力され、子世帯の上記スピーカー１６から（スピーカー１６は常時オン）、３回分のノックの音が出力される。すなわち、上記映像音声通信装置１００は、所定の動作（例えば、ノック）を検知する動作検知部として加速度センサ２１を備えており、当該装置１００で上記所定の動作が検知されたときに、この所定の動作に基づく信号が子世帯側の上記映像音声通信装置１００に送信されることになる。上記ノックの後（マイクロフォン１のオンの後）に、親世帯側で「今日は一緒にご飯食べよー」と言えば、この声が上記マイクロフォン１から入力されて、子世帯の上記スピーカー１６から音声出力される。なお、親世帯側においては、子世帯側での反応を待たずに上記室内戸３０Ａを開けても構わないし、後述するように、子世帯側からの反応があってから上記室内戸３０Ａを開けるようにしてもよい。
【００３２】
子世帯側の上記映像音声通信装置１００における上記スピーカー１６から上記ノックの音が出力され、それを聞いた子世帯側が親世帯側とコミュニケーションを行おうと思う場合、子世帯側において上記室内戸３０Ａを開ける。子世帯側の上記コントローラ２０は、上記室内戸３０Ａが開かれたとき（上記スイッチ２２ａおよび上記スイッチ２２ｂがともにオン）、上記マイクロフォン１、上記カメラ２および上記ディスプレイ１５についてオン制御を実行する（スピーカー１６は常時オン）。この後に子世帯側で「いいよー」と言えば、この声が親世帯の上記スピーカー１６から出力される。なお、上記マイクロフォン１がオン制御された後は、子世帯側での上記室内戸３０Ａを開けている途中からの例えばガラガラという引き戸音が親世帯側の上記スピーカー１６から音声出力されることになり、効果的である。
【００３３】
その後は、図４に示すように、相手の姿がディスプレイ１５に表示され、音声も双方向で通信される。これにより、離れた世帯が同じ住居で室内戸一枚隔てた隣り合う部屋でコミュニケーションをするような感覚が得られる。
【００３４】
コミュニケーションを終了するときには、親世帯側および子世帯側において、上記室内戸３０Ａを閉じる。上記コントローラ２０は、上記室内戸３０Ａが閉じられたと判断したときには（上記スイッチ２２ａおよび上記スイッチ２２ｂがともにオフ）、上記マイクロフォン１、上記カメラ２および上記ディスプレイ１５についてオフ制御を実行する。このようにコミュニケーションを終了させると、プライバシーを確保できる状態になる。
【００３５】
上記コントローラ２０は、図５に示すように、上記室内戸３０Ａが半開の状態であると判断したときには（上記スイッチ２２ａがオンで上記スイッチ２２ｂがオフ）、上記ディスプレイ１５についてオフ制御を実行する。したがって、この場合は上記マイクロフォン１から相手側の音声のみが出力される。なお、この場合に、上記ディスプレイ１５に受信映像を表示するのではなく、白色等表示させると、隣の部屋の明かりが漏れつつ相手側の音声が聞こえるような雰囲気が出せる。なお、親世帯側で上記室内戸３０Ａを半開きにして音声のみの出力状態にしても、親世帯側の上記カメラ２をオンさせておくと、子世帯側の上記ディスプレイ１５に親世帯側の映像を表示させることができる（カメラ２は半開きの室内戸３０Ａで隠れないようにしておく）。もちろん、上記コントローラ２０は、上記室内戸３０Ａが半開の状態であると判断したとき上記ディスプレイ１５および上記カメラ２の両方についてオフ制御を実行するようにしてもよい。この場合、子世帯側の上記ディスプレイ１５には親世帯側の映像が表示されなくなるので、子世帯側でも上記室内戸３０Ａを半開の状態にしたとすると、お互いに音声のみが聞こえる雰囲気を出せることになる。
【００３６】
また、上記の例では、上記加速度センサ（動作検知部）２１を部屋の壁面に設けたが、上記室内戸３０Ａまたは室内戸３０Ｂに設けてもよい。可動である上記室内戸３０Ａに上記加速度センサ２１を設ける場合、この加速度センサ２１と上記映像音声通信装置１００（コントローラ２０）との距離が変化するので、例えば長めのコードで上記加速度センサ２１と上記映像音声通信装置１００を接続する。或いは、上記室内戸３０Ａに移動方向に長い２本の導体線を当該室内戸３０Ａに設け、この導体線と対面する壁に２本の端子を上記導体線に摺接するように固定しておき、上記２本の端子と２本の導体線を介して上記加速度センサ２１と上記映像音声通信装置１００が電気的に接続されるようにしてもよい。
【００３７】
また、上記室内戸３０Ａまたは室内戸３０Ｂ若しくは壁にノック再現のために例えばバイブレーションモーターを設けておき、上記加速度センサ２１が操作されたときにノック再現を指令する制御信号を相手側に送り、相手側は上記ノック再現を指令する制御信号を受け取ったときに上記バイブレーションモーターを動作させるようにしてもよい。このような構成も、上記映像音声通信装置１００と子世帯の上記映像音声通信装置１００は、所定の動作（例えば、ノック）を検知する動作検知部を備え、一方の装置１００で上記所定の動作が検知されたときに、この所定の動作に基づく信号が他方の装置１００に送信される構成となる。
【００３８】
また、例えば光電話回線を用いるテレビ電話システムにおいて、親世帯側では子世帯側のコミュニケーション用電話番号を登録し、また、子世帯側では親世帯側のコミュニケーション用電話番号を登録しておくようにしてもよい。そして、上記映像音声通信装置１００（コントローラ２０）は、親世帯側で上記加速度センサ２１によって所定操作が検知されたときにオートダイヤラー機能で子世帯側に電話をかけ、子世帯側の上記映像音声通信装置１００が着信音としてノック音を一定間隔で出力し、子世帯側で上記室内戸３０Ａが開かれたときにオフフック処理（回線接続処理）を行って接続状態を確立し、映像音声の入出力オン制御を行って映像音声通信を開始するようにしてもよい。また、上記映像音声通信装置１００は、上記室内戸３０Ａが閉じられたときにオンフック処理（回線断処理）を行って映像音声の出力オフ制御を行うようにしてもよい。このような構成の映像音声通信装置１００も、上記室内戸３０Ａが閉じられて上記ディスプレイ１５が隠れた状態では映像および音声の送信を停止し、上記室内戸３０Ａが開かれて上記ディスプレイ１５が現れた状態では映像と音声の少なくとも一方を送信する構成となり、さらに、所定の動作（例えば、ノック）を検知する動作検知部を備え、一方の映像音声通信装置１００で上記所定の動作が検知されたときに、この所定の動作に基づく信号が他方の映像音声通信装置１００に送信される構成となる。
【００３９】
上記のように、所定の動作（例えば、ノック）に基づく信号が他方の装置１００に送信される構成であると、親世帯の上記映像音声通信装置１００と子世帯の上記映像音声通信装置１００とを用いてコミュニケーションを開始するにあたり、相手側にこの開始要求を所定の動作で伝えることができる。なお、例えば、携帯電話の電子メールのやりとりで、今日の午後６時からコミュニケーションをしょうとの合意を予め得るようにする場合には、お互いの室内戸３０Ａを午後６時に開ければよいことになり、上記所定動作は必須のものとはならない。
【００４０】
また、上述したスカイプ（Skype：商標）に限らず、電話会社等が提供するＩＰテレビ電話システムを用いてもよい。ＩＰテレビ電話システムの場合、ＩＰテレビ電話端末の利用者同士であれば通話料を無料にできる場合がある。
【００４１】
また、上述した映像音声通信システムにおいては、親世帯の上記映像音声通信装置１００と子世帯の上記映像音声通信装置１００は、異なる住居に配備され、インターネット９を介して接続されることとしたが、これに限らない。例えば、親世帯の上記映像音声通信装置１００と子世帯の上記映像音声通信装置１００は、集合住宅の異なる世帯に配備され、例えばローカルエリアネットワーク（ＬＡＮ）を介して接続されてもよい。或いは、親世帯の上記映像音声通信装置１００と子世帯の上記映像音声通信装置１００は、２世帯住宅の各世帯に配備され、例えばローカルエリアネットワークを介して接続されてもよい。上述したスカイプ（Skype：商標）はファイヤーウォール機能に対して有効となる方式であるが、ローカルエリアネットワーク内での通信では特にファイヤーウォールの対策は必要でない。また、共用通信網（インターネットや地域IP網など）を利用することに限らず、専用通信回線を利用するようにしてもよい。
【００４２】
なお、例えば、子世帯側でノック操作を行ったのに、親世帯側において上記室内戸３０Ａを開けられなかったときには、親世帯側からの映像が送信されて来ないので（子世帯側ではディスプレイ１５に映像が表示されないので）、親世帯側が留守であることが分かる。一方、留守である可能性がとても少ないのに、親世帯側からの映像が送信されて来ない場合には、急病や事件の可能性があると予測できるので、このような場合には子世帯側から確認のために携帯電話等で親世帯側に連絡とることができる。すなわち、上述した映像音声通信システムは、防犯や急病の観点からも安心が得られることになる。
【００４３】
また、ネットワークに常時接続される構成の上記映像音声通信装置１００であれば、ノックをせずにいきなり上記室内戸３０Ａを開けた場合でも親世帯側のマイクロフォン１がオン動作して音声を子世帯側に送信できるので、例えば、親世帯側で緊急事態が発生したときに、上記室内戸３０Ａをいきなり開けて救援を子世帯側に求めることも可能である。
【００４４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４５】
１      マイクロフォン（マイク）
２      カメラ
１５    ディスプレイ
１６    スピーカー
２０    コントローラ
２１    加速度センサ
２２    室内戸位置センサ
３０Ａ  室内戸
３０Ｂ  室内戸
１００  映像音声通信装置
【図１】
2014192693.tif 000003
【図２】
2014192693.tif 000004
【図３】
2014192693.tif 000005
【図４】
2014192693.tif 000006
【図５】
2014192693.tif 000007